(57)【要約】【課題】キャビネット前分体の額縁部と保持体とにより液晶パネルの周縁部を前後で挾持する構成において、組立て作業性を向上することができる液晶表示装置を提供する。【解決手段】前側に表示面１ａを有する液晶パネル１と、該液晶パネル１の後側に配されている光源部２と、液晶パネル１の周縁部前側に配される額縁部５１を有し、液晶パネル１の周縁部及び光源部２の後側を隠蔽するキャビネット５と、該キャビネット５内で光源部２及び液晶パネル１の間に配され、該液晶パネル１の周縁部後側を保持してある保持体４とを備え、キャビネット５は、額縁部５１と保持体４とにより液晶パネル１の周縁部を前後で挾持するキャビネット前分体５ａ及びキャビネット後分体５ｂを有し、キャビネット前分体５ａ及び保持体４を結合する第１の係止爪１０と、光源部２をキャビネット前分体５ａ又は保持体４に結合する第２の係止爪１１とを設けた。【選択図】図１
2009151112.tif 000002
【特許請求の範囲】
【請求項１】
前側に表示面を有する液晶パネルと、該液晶パネルの後側に配されている光源部と、前記液晶パネルの周縁部前側に配される額縁部を有し、前記液晶パネルの周縁部及び光源部の後側を隠蔽するキャビネットと、該キャビネット内で前記光源部及び液晶パネルの間に配され、該液晶パネルの周縁部後側を保持してある保持体とを備える液晶表示装置において、
前記キャビネットは、前記額縁部と保持体とにより前記液晶パネルの周縁部を前後で挾持するキャビネット前分体及びキャビネット後分体を有し、前記キャビネット前分体及び保持体を結合する第１の結合手段と、前記光源部を前記キャビネット前分体又は保持体に結合する第２の結合手段とを備えることを特徴とする液晶表示装置。
【請求項２】
前側に表示面を有する液晶パネルと、該液晶パネルの後側に配されている光源部と、前記液晶パネルの周縁部前側に配される額縁部を有し、前記液晶パネルの周縁部及び光源部の後側を隠蔽するキャビネットと、該キャビネット内で前記光源部及び液晶パネルの間に配され、該液晶パネルの周縁部後側を保持してある保持体とを備える液晶表示装置において、
前記キャビネットは、前記額縁部と保持体とにより前記液晶パネルの周縁部を前後で挾持するキャビネット前分体及びキャビネット後分体を有し、前記キャビネット前分体及び光源部を結合してある第３の結合手段を備えることを特徴とする液晶表示装置。
【請求項３】
前記保持体を前記キャビネット前分体又は光源部に結合する第４の結合手段を備える請求項２記載の液晶表示装置。
【請求項４】
前記第１から第４の結合手段は、前記キャビネット前分体、保持体及び光源部のいずれかと一体に成形されている係止爪と、該係止爪が係止される被係止部とを有する請求項１から３のいずれか一つに記載の液晶表示装置。
【請求項５】
前記キャビネット前分体、保持体、光源部及びキャビネット後分体のうち少なくとも前記キャビネット前分体及びキャビネット後分体夫々は前後方向へ開口する孔を有し、該孔夫々に挿入された雄螺子によりキャビネット前分体、保持体、光源部及びキャビネット後分体を一体化してある請求項４記載の液晶表示装置。
【請求項６】
前側に表示面を有する液晶パネルと、該液晶パネルの後側に配されている光源部と、前記液晶パネルの周縁部前側に配される額縁部を有し、前記液晶パネルの周縁部及び光源部の後側を隠蔽するキャビネットと、該キャビネット内で前記光源部及び液晶パネルの間に配され、該液晶パネルの周縁部後側を保持してある保持体とを備える液晶表示装置の組立方法において、
前記キャビネットは、前記額縁部と保持体とにより前記液晶パネルの周縁部を前後で挾持するキャビネット前分体及びキャビネット後分体を有しており、前記額縁部及び保持体の間で前記液晶パネルの周縁部を挾着し、前記キャビネット前分体及び保持体を結合する第１の結合工程と、第１の結合工程により結合されたキャビネット前分体及び保持体を前記光源部に載置し、該キャビネット前分体及び保持体を光源部に結合する第２の結合工程と、第２の結合工程により結合されたキャビネット前分体、保持体及び光源部にキャビネット後分体を結合する第３の結合工程とを含むことを特徴とする液晶表示装置の組立方法。
【発明の詳細な説明】
【技術分野】
【０００１】
本発明は液晶テレビジョン等の液晶表示装置及びこれの組立方法に関する。
【背景技術】
【０００２】
液晶テレビジョン等の液晶表示装置は、前側に表示面を有し直方体をなす液晶パネルと、該液晶パネルの周縁部前側を保持する前保持枠体と、液晶パネルの周縁部後側を保持する後保持枠体と、該後保持枠体の後側に配されている光源部と、液晶パネルの周縁部前側に配される額縁部を有し、液晶パネルの周縁部及び光源部の後側を隠蔽するキャビネットとを備える（例えば、特許文献１、２参照）。
【０００３】
光源部は上下に離隔して並置されている複数のランプと、前側が開放され、該ランプを支持するケース体とを有し、該ケース体の周縁部に前記キャビネットが取付けられている。
【０００４】
キャビネットは、前保持枠体の環板部（実質的には液晶パネルの周縁部前側）を隠蔽する額縁部、及び該額縁部の外縁から後方へ延出され、前保持枠体より大形の角筒部を有するキャビネット前分体と、ケース体の後側を隠蔽する皿状板部、及び該皿状板部の外縁から前方へ延出され、前保持枠体より大形の角筒部を有するキャビネット後分体とを備え、キャビネット前分体の角筒部及びキャビネット後分体の角筒部同士が嵌合され、額縁部及び皿状板部がケース体の周縁部に複数本の雄螺子で結合されている。
【０００５】
以上のように構成された液晶表示装置の組立ては、光源部のケース体内にランプが収容支持され、ケース体が上向き開放となるように光源部が作業台上に平置きされ、また、光源部と別の場所で作業台上に平置きされた後保持枠体の環板部に液晶パネルが載置され、該液晶パネルに前保持枠体が載置され、複数本の雄螺子が前保持枠体側から後保持枠体の環板部に取付けられ、前保持枠体及び後保持枠体により液晶パネルの周縁部が挾着されたパネルモジュールが形成される。
【０００６】
このパネルモジュールが光源部のケース体上に載置され、パネルモジュールの周縁部を貫通する複数の挿通孔へ雄螺子が前保持枠体側から挿通されることによりパネルモジュールと光源部とが一体に結合され、このパネルモジュール及び光源部が起立された状態で、キャビネット前分体がパネルモジュールの前側から挿嵌され、キャビネット後分体が光源部の後側から挿嵌され、キャビネット後分体の皿状板部に開設されている挿通孔へ雄螺子が挿通されることによりキャビネット前分体及びキャビネット後分体がケース体に結合される。
【特許文献１】特開２００６−２１５４９２号公報
【特許文献２】特開２００７−５８１８０号公報
【発明の開示】
【発明が解決しようとする課題】
【０００７】
ところが、特許文献１、２のように構成された従来の液晶表示装置は、前保持枠体及び後保持枠体が液晶パネルの周縁部を前後で挾持することによりパネルモジュールが形成され、該パネルモジュールがキャビネット内に配されているため、液晶表示装置の薄型化が制限され、改善策が要望されていた。
【０００８】
そこで、本発明の出願人はパネルモジュールを構成する前保持枠体をなくし、キャビネット前分体の額縁部と後保持枠体とで液晶パネルの周縁部を挾持することにより薄型化することができるように構成した液晶表示装置を先に開発した。
【０００９】
しかし、先に開発された液晶表示装置はキャビネット前分体、後保持枠体及び光源部が結合されるため、従来の液晶表示装置の組立て手順と異なる手順で組立てられることになり、この組立て作業性の向上が要望されていた。
【００１０】
本発明は斯かる事情に鑑みてなされたものであり、主たる目的はキャビネット前分体の額縁部と保持体とにより液晶パネルの周縁部を前後で挾持する構成において、キャビネット前分体及び保持体を結合する第１の結合手段と、光源部をキャビネット前分体又は保持体に結合する第２の結合手段とを備える構成とすることにより、組立て作業性を向上することができる液晶表示装置及びこれの組立方法を提供することにある。
【課題を解決するための手段】
【００１１】
本発明に係る液晶表示装置は、前側に表示面を有する液晶パネルと、該液晶パネルの後側に配されている光源部と、前記液晶パネルの周縁部前側に配される額縁部を有し、前記液晶パネルの周縁部及び光源部の後側を隠蔽するキャビネットと、該キャビネット内で前記光源部及び液晶パネルの間に配され、該液晶パネルの周縁部後側を保持してある保持体とを備える液晶表示装置において、前記キャビネットは、前記額縁部と保持体とにより前記液晶パネルの周縁部を前後で挾持するキャビネット前分体及びキャビネット後分体を有し、前記キャビネット前分体及び保持体を結合する第１の結合手段と、前記光源部を前記キャビネット前分体又は保持体に結合する第２の結合手段とを備えることを特徴とする。
【００１２】
この発明にあっては、キャビネット前分体の額縁部と保持体とにより液晶パネルの周縁部を前後で挾持した状態で、キャビネット前分体及び保持体を第１の結合手段により結合することができ、また、この結合されたキャビネット前分体又は保持体と光源部とを第２の結合手段により結合することができ、この結合された中間組立体にキャビネット後分体を結合することができるため、額縁部の前面に結合構造を露出させることなく、簡易に組立てることができる。
【００１３】
また、本発明に係る液晶表示装置は、前側に表示面を有する液晶パネルと、該液晶パネルの後側に配されている光源部と、前記液晶パネルの周縁部前側に配される額縁部を有し、前記液晶パネルの周縁部及び光源部の後側を隠蔽するキャビネットと、該キャビネット内で前記光源部及び液晶パネルの間に配され、該液晶パネルの周縁部後側を保持してある保持体とを備える液晶表示装置において、前記キャビネットは、前記額縁部と保持体とにより前記液晶パネルの周縁部を前後で挾持するキャビネット前分体及びキャビネット後分体を有し、前記キャビネット前分体及び光源部を結合してある第３の結合手段を備えることを特徴とする。
【００１４】
この発明にあっては、キャビネット前分体及び光源部を第３の結合手段で結合することにより、キャビネット前分体の額縁部と保持体との間で液晶パネルの周縁部を挾持することができ、この結合された中間組立体にキャビネット後分体を結合することができるため、額縁部の前面に結合構造を露出させることなく、簡易に組立てることができる。
【００１５】
また、本発明に係る液晶表示装置は、前記保持体を前記キャビネット前分体又は光源部に結合する第４の結合手段を備えることが好ましい。
この発明にあっては、液晶パネルの挾着力に影響されることなく保持体の位置ずれを防ぐことができ、液晶パネルを適正位置に保持することができる。
【００１６】
また、本発明に係る液晶表示装置は、前記第１から第４の結合手段は、前記キャビネット前分体、保持体及び光源部のいずれかと一体に成形されている係止爪と、該係止爪が係止される被係止部とを有することが好ましい。
この発明にあっては、キャビネット前分体、保持体及び光源部を、螺子を用いることなく組み立てることができ、組立て作業性をより一層向上できる。
【００１７】
また、本発明に係る液晶表示装置は、前記キャビネット前分体、保持体、光源部及びキャビネット後分体のうち少なくとも前記キャビネット前分体及びキャビネット後分体夫々は前後方向へ開口する孔を有し、該孔夫々に挿入された雄螺子によりキャビネット前分体、保持体、光源部及びキャビネット後分体を一体化してあることが好ましい。
この発明にあっては、少なくともキャビネット前分体及びキャビネット後分体夫々に開口設定されている孔に１種類の雄螺子を挿入し、緊締することによりキャビネット前分体、保持体、光源部及びキャビネット後分体夫々を強固に結合することができ、非螺子の係止爪により結合されているキャビネット前分体、保持体及び光源部の結合剛性を高めることができる。また、キャビネット前分体、保持体、光源部及びキャビネット後分体夫々を１種類の雄螺子により結合することができるため、結合用雄螺子の個数を低減でき、結合剛性を高めつつ組立て作業性の向上及びコストの低減を図ることができる。
【００１８】
また、本発明に係る液晶表示装置の組立方法は、前側に表示面を有する液晶パネルと、該液晶パネルの後側に配されている光源部と、前記液晶パネルの周縁部前側に配される額縁部を有し、前記液晶パネルの周縁部及び光源部の後側を隠蔽するキャビネットと、該キャビネット内で前記光源部及び液晶パネルの間に配され、該液晶パネルの周縁部後側を保持してある保持体とを備える液晶表示装置の組立方法において、前記キャビネットは、前記額縁部と保持体とにより前記液晶パネルの周縁部を前後で挾持するキャビネット前分体及びキャビネット後分体を有しており、前記額縁部及び保持体の間で前記液晶パネルの周縁部を挾着し、前記キャビネット前分体及び保持体を結合する第１の結合工程と、第１の結合工程により結合されたキャビネット前分体及び保持体を前記光源部に載置し、該キャビネット前分体及び保持体を光源部に結合する第２の結合工程と、第２の結合工程により結合されたキャビネット前分体、保持体及び光源部にキャビネット後分体を結合する第３の結合工程とを含むことを特徴とする。
【００１９】
この発明にあっては、キャビネット前分体の額縁部及び保持体の間で液晶パネルの周縁部を挾着し、キャビネット前分体及び保持体を結合した後、この結合されたキャビネット前分体及び保持体を光源部に載置することによりキャビネット前分体、保持体及び光源部を結合することができ、この結合された光源部にキャビネット後分体を被せることにより、キャビネット前分体、保持体、光源部及びキャビネット後分体を結合することができ、全体を簡易に組立てることができる。
【発明の効果】
【００２０】
本発明によれば、キャビネット前分体の額縁部と保持体とにより液晶パネルの周縁部を前後で挾持する構成において、キャビネット前分体及び保持体を結合する第１の結合手段と、光源部をキャビネット前分体又は保持体に結合する第２の結合手段とを備える構成とすることにより、組立て作業性を向上することができる。
【発明を実施するための最良の形態】
【００２１】
以下本発明をその実施の形態を示す図面に基づいて詳述する。
実施の形態１
図１は本発明に係る液晶表示装置の構成を示す一部を省略した縦断側面図、図２は液晶表示装置の他の箇所が縦断された断面図、図３はキャビネット前分体の構成を示す背面図、図４及び図５は液晶表示装置の要部の構成を示す拡大断面図である。
【００２２】
この液晶表示装置はテレビ画像を表示する表示面１ａを前側に有する液晶パネル１と、該液晶パネル１の後側に配されている光源部２と、該光源部２及び液晶パネル１間に配されている光学シート３と、該光学シート３及び液晶パネル１間に配され、液晶パネル１の周縁部後側を保持する枠状の保持体４と、液晶パネル１の周縁部前側に配される額縁部５１を有し、液晶パネル１の周縁部及び光源部２の後側を隠蔽するキャビネット５と、光源部２の後面に取付けられているスタンドとを備える液晶テレビジョン、換言すれば液晶表示装置である。
【００２３】
液晶パネル１は略直方体をなし、該液晶パネル１の上縁部前面及び下縁部前面に、電子部品が実装されている複数のフレキシブルプリント基板の一端が接続されている。
【００２４】
液晶パネル１の後側に配されている保持体４は、液晶パネル１の周縁部後面に対向する矩形の環板部４１と、環板部４１の外縁から後方へ延出されている角筒部４２と、角筒部４２の外縁から光学シート３のシート面に沿う方向へ延出されている環状の結合板部４３と、結合板部４３の外縁から前方へ延出されている環状の結合部４４と、結合板部４３の外縁から後方へ延出されている角筒部４５とを有する。
【００２５】
環板部４１の前面には、液晶パネル１の周縁部を弾性的に受止める帯状の弾性体６が貼着されており、結合板部４３の複数の周方向位置に、前後方向へ貫通する貫通孔４６が設けられている。また、結合部４４の複数の周方向位置に、前記シート面に沿う方向へ貫通する角孔４７が開設され、該角孔４７の一縁を被係止部７としてある。また、角筒部４５の複数の周方向位置に、前記シート面に沿う方向へ貫通する孔４８が開設されている。結合部４４の角孔４７と角筒部４５の孔４８とは周方向へ離隔しており、保持体４の剛性を高めてある。また、角筒部４５の上壁外面及び下壁外面にはフレキシブルプリント基板夫々の他端に接続されているプリント回路基板が取付けられている。
【００２６】
光源部２は、複数本が横に並置されている円筒形をなすランプ２１と、該ランプ２１を収容支持し、且つ光学シート３の周縁部を支持する深皿形をなすケース体２２と、ケース体２２の後壁内面に沿って配され、ケース体２２内に収容されているランプ２１が発光した光をケース体２２の開放側へ反射させる反射シート２３とを備え、ケース体２２の後壁外面に回路基板等の電気部品が取付けられている。
【００２７】
ランプ２１は両端部に電極を有する冷陰極管又は熱陰極管であり、ケース体２２内の両側に並設された凹形保持部に両端部が保持され、また、中間部がランプクリップによりケース体２２の後壁に保持されている。
【００２８】
ケース体２２は略直方体をなし、前側の開放縁には光学シート３のシート面に沿って外方へ延出され、光学シート３の周縁部を受止める第１受止部２２ａ及び保持体４を受止める第２受止部２２ｂと、該第２受止部２２ｂの端縁から後方へ延出された環状の結合部２２ｃとを有し、第２受止部２２ｂの複数の周方向位置に、前後方向へ貫通する貫通孔２４が設けられており、また、結合部２２ｃの複数の周方向位置に、保持体４の孔４８に対応する孔２５が開設され、該孔２５の一縁を被係止部８としてある。
【００２９】
キャビネット５は、液晶パネル１の周縁部前側に配され、保持体４の環板部４１を隠蔽する額縁部５１、及び該額縁部５１の外縁から後方へ延出され、前保持体４より大形の角筒部５２を有するキャビネット前分体５ａと、ケース体２２の後側を隠蔽する皿状板部５３、及び該皿状板部５３の外縁から前方へ延出され、保持体４より大形の角筒部５４を有するキャビネット後分体５ｂとを備え、角筒部５２，５４同士の嵌合により防塵するように構成されている。
【００３０】
キャビネット前分体５ａの額縁部５１は液晶パネル１より大形に形成され、内周側で液晶パネル１の前面と対向する箇所には、液晶パネル１の周縁部を弾性的に保持する帯状の弾性体９が貼着されており、外周側で複数の周方向位置には、貫通孔４６に対応する螺子孔５５を有する筒形ボス５６が一体成形されている。また、角筒部５２の複数の周方向位置には被係止部７，８に係止される第１及び第２の係止爪１０，１１が一体成形されている。尚、係止爪１０及び被係止部７が第１の結合手段を構成しており、係止爪１１及び被係止部８が第２の結合手段を構成している。
【００３１】
第１及び第２の係止爪１０，１１は角筒部５２の前後へ離隔し、且つ周方向へ離隔した箇所に配してある。第１及び第２の係止爪１０，１１は、角筒部５２の内面から後方へ延出され、可撓性を有する脚部の先端に爪部が設けられており、該爪部が被係止部７，８に係止されるように構成されている。
【００３２】
キャビネット後分体５ｂの皿状板部５３の外縁部には貫通孔２４に対応する複数の筒形ボス５７が周方向へ離隔して一体成形されている。この筒形ボス５７、貫通孔２４、４６、螺子孔５５は直線状に開設され、１本の雄螺子１２を挿入して螺子孔５５に緊締することによりキャビネット前分体５ａ、保持体４、ケース体２２及びキャビネット後分体５ｂを一体に結合することができるようになっている。
【００３３】
以上のように構成された液晶表示装置の組立ては次の(1) 〜(5) の工程で行う。
(1) 作業台上に開放部を上向にして平置きされたケース体２２内に反射シート２３、ランプ２１が組込まれ、光源部２が形成される。この光源部２の上側に光学シート３が載置され、該光学シート３の周縁部が第１受止部２２ａに支持される。
(2) 作業台上の別の箇所に額縁部５１が下側となるように平置きされたキャビネット前分体５ａの内側に液晶パネル１が挿入され、額縁部５１に載置される。この液晶パネル１の上側に保持体４が載置される。この際、キャビネット前分体５ａの第１の係止爪１０が保持体４の結合部４４と接触し、第１の係止爪１０の脚部が撓みつつ爪部が被係止部７に係止され、額縁部５１及び環板部４１の間で液晶パネル１の周縁部が挾持され、キャビネット前分体５ａ及び保持体４が第１の係止爪１０により仮結合される。この仮結合によりキャビネット前分体５ａ、液晶パネル１及び保持体４が一体となる。
(3) 仮係合されたキャビネット前分体５ａ及び保持体４は、保持体４が下側となるように反転され、この反転状態で光学シート３の上側からケース体２２の第２受止部２２ｂに載置される。この際、キャビネット前分体５ａの第２の係止爪１１がケース体２２の結合部２２ｃと接触し、第２の係止爪１１の脚部が撓みつつ爪部が被係止部８に係止され、キャビネット前分体５ａ及びケース体２２が第２の係止爪１１により仮結合される。この仮結合によりキャビネット前分体５ａ、液晶パネル１、光学シート３及び光源部２のケース体２２が一体となる。また、保持体４の結合板部４３が第２受止部２２ｂと接触し、角筒部４５が結合部２２ｃの外側に被嵌される。
(4) 仮係合されたキャビネット前分体５ａ及びケース体２２は、ケース体２２が上側となるように反転され、この反転状態でキャビネット後分体５ｂがケース体２２の上側に被嵌される。この際、キャビネット後分体５ｂの角筒部５４先端がキャビネット前分体５ａの角筒部５２後端に挿嵌され、筒形ボス５６が第２受止部２２ｂに当接する。
(5) キャビネット後分体５ｂの筒形ボス５７に雄螺子１２を挿入し、該雄螺子１２を、貫通孔２４，４６内を経て螺子孔５５に緊締することにより、キャビネット前分体５ａ、保持体４、ケース体２２及びキャビネット後分体５ｂが一体に結合される。
【００３４】
以上のようにキャビネット前分体５ａ及び保持体４を仮結合し、キャビネット前分体５ａ及びケース体２２を仮結合した後、一種類の雄螺子１２によりキャビネット後分体５ｂを結合するため、液晶表示装置の組立てを簡易にでき、また、組立て作業時間を短縮することができ、組立て作業効率を高めることができる。
【００３５】
尚、以上の組立て工程において、(4) の工程でキャビネット前分体５ａ及びケース体２２を反転する代わりに、キャビネット前分体５ａ及びケース体２２を起立させ、この起立したケース体２２の後側からキャビネット後分体５ｂを被嵌してもよい。
【００３６】
実施の形態２
図６は液晶表示装置の他の構成を示す一部を省略した縦断側面図である。この液晶表示装置は、実施の形態１における第１の係止爪１０及び被係止部７をなくし、第２の係止爪１１を被係止部８に係止することによりキャビネット前分体５ａ及びケース体２２を仮結合するとともに、保持体４をキャビネット前分体５ａ及びキャビネット後分体５ｂの間で挾着したものである。尚、係止爪１１及び被係止部８が第３の結合手段を構成している。
【００３７】
この液晶表示装置において、保持体４はキャビネット前分体５ａ内の適正箇所に位置決めされており、保持体４と額縁部５１との間で液晶パネル１の周縁部を挾持している。
【００３８】
以上のように構成された液晶表示装置は、キャビネット前分体５ａ及び保持体４が仮結合されていないため、液晶表示装置の組立ては次の(1) 〜(5) の工程で行う。
【００３９】
(1) 作業台上に開放部を上向にして平置きされたケース体２２内に反射シート２３、ランプ２１が組込まれ、光源部２が形成される。この光源部２の上側に光学シート３が載置され、該光学シート３の周縁部が第１受止部２２ａに支持される。
(2) 光学シート３の上側から保持体４がケース体２２に載置される。この際、保持体４の結合板部４３が第２受止部２２ｂに当接し、角筒部４５が結合部２２ｃの外側に被嵌され、保持体４のケース体２２に対する位置が決められる。
(3) 保持体４の環板部４１に液晶パネル１が載置され、該液晶パネル１の上側にキャビネット前分体５ａが載置される。この際、キャビネット前分体５ａの第２の係止爪１１がケース体２２の結合部２２ｃと接触し、第２の係止爪１１の脚部が撓みつつ爪部が被係止部８に係止され、キャビネット前分体５ａ及びケース体２２が第２の係止爪１１により仮結合される。この仮結合によりキャビネット前分体５ａ、液晶パネル１、保持体４、光学シート３及び光源部２のケース体２２が一体となる。また、額縁部５１と保持体４との間で液晶パネル１が挾持される。
(4) 仮結合されたキャビネット前分体５ａ及びケース体２２は、ケース体２２が上側となるように反転、又は、起立され、キャビネット後分体５ｂがケース体２２に被嵌される。この際、キャビネット後分体５ｂの角筒部５４先端がキャビネット前分体５ａの角筒部５２後端に挿嵌され、筒形ボス５７が第２受止部２２ｂに当接する。
(5) キャビネット後分体５ｂの筒形ボス５７に雄螺子１２を挿入し、該雄螺子１２を、貫通孔２４，４６内を経て螺子孔５５に緊締することにより、キャビネット前分体５ａ、保持体４、ケース体２２及びキャビネット後分体５ｂが一体に結合される。
【００４０】
以上のようにキャビネット前分体５ａ及びケース体２２を仮結合した後、一種類の雄螺子１２によりキャビネット後分体５ｂを結合するため、液晶表示装置の組立てを簡易にでき、また、組立て作業時間を短縮することができ、組立て作業効率を高めることができる。
その他の構成及び作用は実施の形態１と同様であるため、同様の部品については同じ符号を付し、その詳細な説明及び作用効果の説明を省略する。
【００４１】
尚、以上説明した実施の形態では、額縁部５１及び角筒部５２を有するキャビネット前分体５ａの角筒部５２に係止爪１０，１１を有する構成としたが、その他、額縁部５１の後面に係止爪１０，１１を有する構成としてもよい。
【００４２】
また、以上説明した実施の形態ではキャビネット前分体５ａが係止爪１０，１１を有する構成としたが、その他、保持体４及びケース体２２が係止爪１０，１１を有する構成としてもよい。この場合、係止爪１０は保持体４の結合部４４と一体成形され、係止爪１１は結合部２２ｃと一体成形され、キャビネット前分体５ａの角筒部５２内側に凹状の被係止部７，８が設けられる。また、係止爪１１に対応する被係止部８は、角筒部５２でなく結合部４４に設ける構成としてもよい。
【００４３】
また、以上説明した実施の形態ではキャビネット前分体５ａは額縁部５１及び角筒部５２を有する構成としたが、その他、角筒部５２がなく、額縁部５１がキャビネット前分体５ａである構成としてもよい。
【００４４】
また、実施の形態２において、保持体４をキャビネット前分体５ａ、又は、ケース体２２に結合する係止爪、被係止部等の第４の結合手段を設けてもよい。
【００４５】
また、以上説明した実施の形態では仮結合用の係止爪１０，１１を有する構成としたが、その他、係止爪１０，１１は仮結合でなく、係止爪１０，１１が本結合するようにしてもよい。この場合、キャビネット後分体５ｂは雄螺子１２により例えばケース体２２の第２受止部２２ｂに結合するか、又は、キャビネット後分体５ｂ及びケース体２２の一方に係止爪を設け、該係止爪が係止される被係止部を他方に設ける。
【図面の簡単な説明】
【００４６】
【図１】本発明に係る液晶表示装置の構成を示す一部を省略した縦断側面図である。
【図２】本発明に係る液晶表示装置の他の箇所が縦断された断面図である。
【図３】本発明に係る液晶表示装置のキャビネット前分体の構成を示す背面図である。
【図４】本発明に係る液晶表示装置の要部の構成を示す拡大断面図である。
【図５】本発明に係る液晶表示装置の要部の構成を示す拡大断面図である。
【図６】液晶表示装置の他の構成を示す一部を省略した縦断側面図である。
【符号の説明】
【００４７】
１    液晶パネル
１ａ  表示面
２    光源部
２４  貫通孔（孔）
４    保持体
４６  貫通孔（孔）
５    キャビネット
５ａ  キャビネット前分体
５ｂ  キャビネット後分体
５１  額縁部
５５  螺子孔（孔）
５６  筒形ボス
７，８  被係止部（第１、第２の結合手段）
１０  第１の係止爪（第１の結合手段）
１１  第２の係止爪（第２の結合手段）
１２  雄螺子
【図１】
2009151112.tif 000003
【図２】
2009151112.tif 000004
【図３】
2009151112.tif 000005
【図４】
2009151112.tif 000006
【図５】
2009151112.tif 000007
【図６】
2009151112.tif 000008